(57)【要約】      （修正有）【課題】商品が高い確率で消費者に渡った状況において、消費者に対して有効な情報を提供する。【解決手段】商品用容器１１は、外部から隠蔽されている領域に、商品用容器１１に関する情報である容器関連情報が埋め込まれた埋込情報部を有し、容器関連情報は、端末装置１２に読み込まれ、または端末装置１２に送信され、読み込まれた容器関連情報と端末装置１２の位置情報取得部で取得した位置情報とを、端末装置１２からサーバ装置１３に送信する。端末装置１２から送られた容器関連情報と位置情報に応じて、サーバ装置１３から端末装置１２に情報を送信する。【選択図】図１
2012108897.tif 000002
【特許請求の範囲】
【請求項１】
商品用容器であり、外部から隠蔽されている領域に、当該商品用容器に関する情報である容器関連情報が埋め込まれた埋込情報部を有する商品用容器であり、前記容器関連情報は、端末装置に読み込まれ、または端末装置に送信され、前記容器関連情報は前記端末装置からサーバ装置に送信される商品用容器。
【請求項２】
商品用容器であり、当該商品用容器の表面の２以上の箇所に、当該商品用容器に関する情報である容器関連情報が埋め込まれた埋込情報部を有する商品用容器であり、前記容器関連情報は、端末装置に読み込まれ、または端末装置に送信され、前記容器関連情報は前記端末装置からサーバ装置に送信される商品用容器。
【請求項３】
請求項１または請求項２記載の商品用容器から１または２以上の容器関連情報を取得する情報取得部と、
前記情報取得部が取得した１または２以上の容器関連情報をサーバ装置に送信する送信部と、
前記送信部における容器関連情報の送信に応じて、前記サーバ装置から情報を受信する受信部と、
前記受信部が受信した情報を出力する出力部とを具備する端末装置。
【請求項４】
位置情報を取得する位置情報取得部をさらに具備し、
前記送信部は、
前記位置情報と前記１または２以上の容器関連情報をサーバ装置に送信し、
前記受信部は、
前記送信部における前記位置情報と前記１または２以上の容器関連情報の送信に応じて、前記サーバ装置から情報を受信する請求項３記載の端末装置。
【請求項５】
前記受信部は、
前記送信部が送信した位置情報に応じて、受信する情報が異なる請求項４記載の端末装置。
【請求項６】
端末装置のユーザに関する情報であるユーザ情報を格納し得るユーザ情報格納部をさらに具備し、
前記送信部は、
前記ユーザ情報をも、サーバ装置に送信する請求項３から請求項５いずれか記載の端末装置。
【請求項７】
前記受信部は、
前記送信部が送信したユーザ情報に応じて、受信する情報が異なる請求項６記載の端末装置。
【請求項８】
ユーザに所定の情報を入力する画面に関する情報である画面情報を格納し得る画面情報格納部と、
前記情報取得部が１または２以上の容器関連情報を取得した場合に、前記画面情報を用いて、画面を出力する画面出力部と、
前記画面に対するユーザの入力を受け付ける受付部と、
前記送信部は、
前記受付部が受け付けた入力に対応する情報である入力情報をも、サーバ装置に送信する請求項３から請求項７いずれか記載の端末装置。
【請求項９】
前記受信部は、
前記送信部が入力情報を送信したか否かにより、受信する情報が異なる請求項８記載の端末装置。
【請求項１０】
容器関連情報、または容器関連情報と位置情報、または容器関連情報とユーザ情報、または容器関連情報と位置情報とユーザ情報とに対応付けて、端末装置に送信する情報を格納している情報格納部と、
容器関連情報に対応付けて、送信情報の一部または全部を送信する先を特定する送信先情報を格納し得る送信先情報格納部と、
請求項３から請求項８いずれか記載の端末装置から容器関連情報を含む送信情報を受信するサーバ側受信部と、
前記サーバ側受信部が受信した送信情報の一部または全部を前記送信情報格納部に蓄積する蓄積部と、
前記サーバ側受信部が送信情報に対応する情報を、前記情報格納部から取得する検索部と、
前記検索部が取得した情報を前記端末装置に送信するサーバ側送信部とを具備するサーバ装置。
【請求項１１】
端末装置から送信されてきた情報である送信情報を格納し得る送信情報格納部と、
前記サーバ側受信部が受信した送信情報のうちの一部または全部を、前記送信情報が有する容器関連情報に対応する送信先情報が示す送信先に送信する情報転送部をさらに具備する請求項１０記載のサーバ装置。
【請求項１２】
商品用容器であり、当該商品用容器に関する情報である容器関連情報が埋め込まれた１または２以上の埋込情報部を有する商品用容器であり、前記容器関連情報は、端末装置に読み込まれ、または端末装置に送信され、前記容器関連情報は前記端末装置からサーバ装置に送信される商品用容器。
【請求項１３】
請求項１２記載の商品用容器から１または２以上の容器関連情報を取得する情報取得部と、
前記情報取得部が取得した１または２以上の容器関連情報をサーバ装置に送信する送信部と、
前記送信部における容器関連情報の送信に応じて、前記サーバ装置から情報を受信する受信部と、
前記受信部が受信した情報を出力する出力部とを具備する端末装置。
【請求項１４】
位置情報を取得する位置情報取得部をさらに具備し、
前記送信部は、
前記位置情報と前記１または２以上の容器関連情報をサーバ装置に送信し、
前記受信部は、
前記送信部における前記位置情報と前記１または２以上の容器関連情報の送信に応じて、前記サーバ装置から情報を受信する請求項１３記載の端末装置。
【請求項１５】
前記受信部は、
前記送信部が送信した位置情報に応じて、受信する情報が異なる請求項１４記載の端末装置。
【請求項１６】
端末装置のユーザに関する情報であるユーザ情報を格納し得るユーザ情報格納部をさらに具備し、
前記送信部は、
前記ユーザ情報をも、サーバ装置に送信する請求項１３から請求項１５いずれか記載の端末装置。
【請求項１７】
前記受信部は、
前記送信部が送信したユーザ情報に応じて、受信する情報が異なる請求項１６記載の端末装置。
【発明の詳細な説明】
【技術分野】
【０００１】
本発明は、飲料などの商品のための容器である商品用容器や、商品用容器に埋め込まれた情報を処理する端末装置やサーバ装置等に関するものである。
【背景技術】
【０００２】
従来、顧客が商品の購買に到るまでの購買過程における顧客情報を効率的に取得し、且つ取得した顧客情報を手動で分析することなく利用できる情報処理システムがあった（特許文献１参照）。本システムは、ＣＣＤカメラ等の撮像手段、バーコードや非接触型ＩＣから、商品情報や個人情報等の各種情報を読み取る情報取得手段を備えている。また、商品に設けられたバーコードや非接触型ＩＣから商品情報が読み取られると、その商品に関連する画像を表示する。併せて、商品を手にとった顧客を、撮像手段を用いて撮像する。そして撮像画像と、顧客がかざした商品から読み取られた商品情報と、操作履歴とを関連付けることにより、顧客情報を生成する。そして、生成した顧客情報は情報蓄積装置に送信され、画像解析が行われた後、顧客情報データベースに蓄積される。併せて情報蓄積装置は、情報処理装置に対して商品情報や広告情報を含む情報配信を無線多重通信により行う。
【０００３】
また、登録作業時におけるオペレータの心理的・肉体的な作業負担をより軽減することができる商品データ入力装置があった（特許文献２参照）。かかる商品データ入力装置は、商品を示す商品データを読み取る読取手段と、前記読取手段による前記商品データの読取領域の画像を撮影する撮影手段と、撮影した画像に含まれる手の手形状が、前記商品データの入力に関連する関連情報を入力するためのキーに対応するキーコードを表す手形状であるか否かを判定する判定手段と、撮影した画像に含まれる前記手形状が前記キーコードを表す前記手形状であると判定した場合、前記手形状が表す前記キーコードおよび読み取った前記商品データを、前記キーコードに従い前記商品データを処理する上位機器に送信する送信手段と、を備えたことを特徴とする商品データ入力装置である。
【先行技術文献】
【特許文献】
【０００４】
【特許文献１】特開２００９−２５１９５２号公報（第１頁、第１図等）
【特許文献２】特開２０１０−２１８４４６号公報（第１頁、第１図等）
【発明の概要】
【発明が解決しようとする課題】
【０００５】
しかしながら、従来、商品購入後のユーザに対して、情報提供のサービスを行う技術が存在しなかった。つまり、従来、バーコードなどの埋込情報部は、商品の購入前であっても人から見える領域にしか貼付されておらず、商品を消費する段階または消費後に漸く見える領域、または商品を自由に扱える場合に読み取りかが可能または読み取りが容易になる領域に埋込情報部が貼付されていなかった。
【０００６】
そのため、例えば、店舗に並んでいる段階、商品の流通の段階で、バーコードなどの埋込情報部の情報を容易に読み取り可能であり、そのため、商品提供側では、消費の状況を把握することが困難であった。また、商品を確実に購入した消費者のみに、有効な情報を与えるなどの特典を、消費者に与えることが困難であった。
【課題を解決するための手段】
【０００７】
本第一の発明の商品用容器は、商品用容器であり、外部から隠蔽されている領域に、商品用容器に関する情報である容器関連情報が埋め込まれた埋込情報部を有する商品用容器であり、容器関連情報は、端末装置に読み込まれ、または端末装置に送信され、容器関連情報は端末装置からサーバ装置に送信される商品用容器である。
【０００８】
かかる構成により、商品が消費者に確実に渡った状況において、消費者に対して有効な情報を提供する商品用容器を提供できる。
【０００９】
また、本第二の発明の商品用容器は、商品用容器であり、商品用容器の表面の２以上の箇所に、商品用容器に関する情報である容器関連情報が埋め込まれた埋込情報部を有する商品用容器であり、容器関連情報は、端末装置に読み込まれ、または端末装置に送信され、容器関連情報は端末装置からサーバ装置に送信される商品用容器である。
【００１０】
かかる構成により、商品が高い確率で消費者に渡った状況において、消費者に対して有効な情報を提供する商品用容器を提供できる。
【００１１】
また、本第三の発明の端末装置は、第一または第二の発明に対して、商品用容器から１または２以上の容器関連情報を取得する情報取得部と、情報取得部が取得した１または２以上の容器関連情報をサーバ装置に送信する送信部と、送信部における容器関連情報の送信に応じて、サーバ装置から情報を受信する受信部と、受信部が受信した情報を出力する出力部とを具備する端末装置である。
【００１２】
かかる構成により、商品が高い確率で消費者に渡った状況において、消費者に対して有効な情報を提供できる。
【００１３】
また、本第四の発明の端末装置は、第三の発明に対して、位置情報を取得する位置情報取得部をさらに具備し、送信部は、位置情報と１または２以上の容器関連情報をサーバ装置に送信し、受信部は、送信部における位置情報と１または２以上の容器関連情報の送信に応じて、サーバ装置から情報を受信する端末装置である。
【００１４】
かかる構成により、商品の消費場所が特定できる。
【００１５】
また、本第五の発明の端末装置は、第四の発明に対して、受信部は、送信部が送信した位置情報に応じて、受信する情報が異なる端末装置である。
【００１６】
かかる構成により、商品が高い確率で消費者に渡った状況において、消費者に対して、当該消費者が存在する位置に応じた有効な情報を提供できる。
【００１７】
また、本第六の発明の端末装置は、第三から第五いずれかの発明に対して、端末装置のユーザに関する情報であるユーザ情報を格納し得るユーザ情報格納部をさらに具備し、送信部は、ユーザ情報をも、サーバ装置に送信する端末装置である。
【００１８】
かかる構成により、商品の消費状況、例えば、どのような属性値を有する消費者に消費されているかが容易に把握できる。
【００１９】
また、本第七の発明の端末装置は、第六の発明に対して、受信部は、送信部が送信したユーザ情報に応じて、受信する情報が異なる端末装置である。
【００２０】
かかる構成により、商品が高い確率で消費者に渡った状況において、消費者に対して、当該消費者の情報（属性値など）に応じた有効な情報を提供できる。
【００２１】
また、本第八の発明の端末装置は、第三から第七いずれかの発明に対して、ユーザに所定の情報を入力する画面に関する情報である画面情報を格納し得る画面情報格納部と、情報取得部が１または２以上の容器関連情報を取得した場合に、画面情報を用いて、画面を出力する画面出力部と、画面に対するユーザの入力を受け付ける受付部と、送信部は、受付部が受け付けた入力に対応する情報である入力情報をも、サーバ装置に送信する端末装置である。
【００２２】
かかる構成により、ユーザのニーズや消費状況等の情報を収集できる。
【００２３】
また、本第九の発明の端末装置は、第八の発明に対して、受信部は、送信部が入力情報を送信したか否かにより、受信する情報が異なる端末装置である。
【００２４】
かかる構成により、ユーザのニーズや消費状況等の情報を、高い確率で収集できる。
【００２５】
また、本第十の発明のサーバ装置は、第三から第八いずれかの発明に対して、容器関連情報、または容器関連情報と位置情報、または容器関連情報とユーザ情報、または容器関連情報と位置情報とユーザ情報とに対応付けて、端末装置に送信する情報を格納している情報格納部と、容器関連情報に対応付けて、送信情報の一部または全部を送信する先を特定する送信先情報を格納し得る送信先情報格納部と、端末装置から容器関連情報を含む送信情報を受信するサーバ側受信部と、サーバ側受信部が受信した送信情報の一部または全部を送信情報格納部に蓄積する蓄積部と、サーバ側受信部が送信情報に対応する情報を、情報格納部から取得する検索部と、検索部が取得した情報を端末装置に送信するサーバ側送信部とを具備するサーバ装置である。
【００２６】
かかる構成により、商品が高い確率で消費者に渡った状況において、消費者に対して有効な情報を提供できる。
【００２７】
また、本第十一の発明のサーバ装置は、第十の発明に対して、端末装置から送信されてきた情報である送信情報を格納し得る送信情報格納部と、サーバ側受信部が受信した送信情報のうちの一部または全部を、送信情報が有する容器関連情報に対応する送信先情報が示す送信先に送信する情報転送部をさらに具備するサーバ装置である。
かかる構成により、商品が高い確率で消費者に渡った状況において、消費者に関する情報を、商品のメーカー等の適切な相手に送信できる。
また、本第十二の発明の商品用容器は、商品用容器であり、商品用容器に関する情報である容器関連情報が埋め込まれた１または２以上の埋込情報部を有する商品用容器であり、容器関連情報は、端末装置に読み込まれ、または端末装置に送信され、容器関連情報は端末装置からサーバ装置に送信される商品用容器である。
かかる構成により、商品の購入前または購入後において、消費者に対して有効な情報を提供する商品用容器を提供できる。
また、本第十三の発明の端末装置は、第十二の発明に対して、商品用容器から１または２以上の容器関連情報を取得する情報取得部と、情報取得部が取得した１または２以上の容器関連情報をサーバ装置に送信する送信部と、送信部における容器関連情報の送信に応じて、サーバ装置から情報を受信する受信部と、受信部が受信した情報を出力する出力部とを具備する端末装置である。
かかる構成により、消費者に対して有効な情報を提供できる。
また、本第十四の発明の端末装置は、第十三の発明に対して、位置情報を取得する位置情報取得部をさらに具備し、送信部は、位置情報と１または２以上の容器関連情報をサーバ装置に送信し、受信部は、送信部における位置情報と１または２以上の容器関連情報の送信に応じて、サーバ装置から情報を受信する端末装置である。
かかる構成により、商品の購入場所または商品の消費場所が特定できる。
また、本第十五の発明の端末装置は、第十四の発明に対して、受信部は、送信部が送信した位置情報に応じて、受信する情報が異なる端末装置である。
かかる構成により、消費者に対して、当該消費者が存在する位置に応じた有効な情報を提供できる。
また、本第十六の発明の端末装置は、第十三から第十五いずれかの発明に対して、端末装置のユーザに関する情報であるユーザ情報を格納し得るユーザ情報格納部をさらに具備し、送信部は、ユーザ情報をも、サーバ装置に送信する端末装置である。
かかる構成により、商品の消費状況、例えば、どのような属性値を有する消費者に消費されているかが容易に把握できる。
また、本第十七の発明の端末装置は、第十六の発明に対して、受信部は、送信部が送信したユーザ情報に応じて、受信する情報が異なる端末装置である。
かかる構成により、消費者に対して、当該消費者の情報（属性値など）に応じた有効な情報を提供できる。
【発明の効果】
【００２８】
本発明による情報システムによれば、消費者に対して有効な情報を提供できる。
【図面の簡単な説明】
【００２９】
【図１】実施の形態１における情報システム１の概念図
【図２】同情報システムのブロック図
【図３】同端末装置の動作について説明するフローチャート
【図４】同サーバ装置の動作について説明するフローチャート
【図５】同提供情報管理表を示す図
【図６】同送信先情報管理表を示す図
【図７】同送信情報管理表を示す図
【図８】同商品用容器１１を示す図
【図９】同送信情報管理表を示す図
【図１０】同商品用容器１１を示す図
【図１１】同商品用容器１１を示す図
【図１２】同商品用容器１１を示す図
【図１３】同商品用容器１１を示す図
【図１４】実施の形態２における情報システムのブロック図
【図１５】同サーバ装置の動作について説明するフローチャート
【図１６】同提供情報管理表を示す図
【図１７】同商品用容器１１を示す図
【図１８】上記実施の形態におけるコンピュータシステムの概観図
【図１９】同コンピュータシステムのブロック図
【発明を実施するための形態】
【００３０】
以下、情報システム等の実施形態について図面を参照して説明する。なお、実施の形態において同じ符号を付した構成要素は同様の動作を行うので、再度の説明を省略する場合がある。
（実施の形態１）
【００３１】
本実施の形態において、外部から隠蔽されている領域に、商品用容器に関する情報（例えば、商品名やメーカーなど）が埋め込まれた埋込情報部（例えば、バーコードやICタグなど）を有する商品用容器について説明する。この埋込情報部の情報は、端末装置に読み込まれまたは送信され、情報が端末装置からサーバ装置に送信される。
【００３２】
また、商品用容器から情報を取得し、取得した情報をサーバ装置に送信し、送信に応じて、サーバ装置から情報を受信し、出力する端末装置についても説明する。
【００３３】
さらに、端末装置から情報を受信し、蓄積し、蓄積した情報を、商品用容器のメーカーに送信するサーバ装置等について説明する。
【００３４】
図１は、本実施の形態における情報システム１の概念図である。図１は、メーカーが
商品を製造してから、運搬され、店舗に並べられる。そして、消費者が商品を購入後、消費者は後述する所定の動作を行うことにより、情報を取得できる情報システム１の概念図である。
【００３５】
情報システム１は、１以上の商品用容器１１、１以上の端末装置１２、およびサーバ装置１３を具備する。端末装置１２は、例えば、バーコードリーダー、カメラ付き携帯端末などである。
【００３６】
図２は、本実施の形態における情報システム１のブロック図である。
商品用容器１１は、埋込情報部１１１を具備する。
【００３７】
端末装置１２は、情報取得部１２１、ユーザ情報格納部１２２、画面情報格納部１２３、位置情報取得部１２４、画面出力部１２５、受付部１２６、送信部１２７、受信部１２８、および出力部１２９を具備する。
【００３８】
サーバ装置１３は、送信情報格納部１３１、情報格納部１３２、送信先情報格納部１３３、サーバ側受信部１３４、蓄積部１３５、検索部１３６、サーバ側送信部１３７、および情報転送部１３８を具備する。
【００３９】
商品用容器１１は、商品の容器である。商品とは、例えば、飲料、カップ麺、お菓子などの食品、化粧品、薬、洗剤などの日用品など、何でも良い。また、商品は、小袋が２以上入った一つの商品など、消費者に譲渡や貸与等されるものであれば何でも良い。また、商品用容器１１は、缶、ＰＥＴ、紙など、その材質は問わない。商品用容器１１は、外部から隠蔽されている領域に、当該商品用容器に関する情報である容器関連情報が埋め込まれた埋込情報部１１１を有する商品の容器である。隠蔽されている領域とは、容器の蓋の裏面、容器の内部、容器の内部の底、不透明のシール等で隠蔽されている容器の表面、不透明の大袋の中の小袋の表面や内部などである。外部から隠蔽されている領域は、販売時（商品棚に並んでいる状況において）に外部から見えない領域であることが好適である。また、外部から隠蔽されている領域は、特に、商品が充填されている領域であることが好適である。外部から隠蔽されている領域とは、例えば、商品の容器の内部の領域であり、ジュースが入った容器のジュースに接している領域、カップ麺の容器の内部の底面や側面などである。商品が充填されている領域に埋込情報部１１１が存在する場合、通常、商品が消費された後に、埋込情報部１１１が表出し、好適である。
【００４０】
商品用容器１１を構成する埋込情報部１１１は、商品用容器に関する情報である容器関連情報が埋め込まれている。容器関連情報とは、例えば、商品名、メーカー名、商品ＩＤ、メーカーＩＤなどである。埋込情報部１１１は、例えば、バーコード、ＩＣタグ、ＡＲのマーカー、ＱＲコード（登録商標）などである。埋込情報部１１１は、情報が埋め込まれるものであれば何でも良い。また、埋込情報部１１１は、埋め込まれている情報を能動的に送信する機能を有しても良いし、バーコードなどのように受動的に読み込まれるものでも良い。
【００４１】
端末装置１２は、例えば、バーコードリーダー、カメラ付き携帯端末などである。また、端末装置１２は、商品の消費者の端末である。
【００４２】
端末装置１２を構成する情報取得部１２１は、商品用容器１１から１または２以上の容器関連情報を取得する。ここで、取得とは、受信または読み込みなどである。情報取得部１２１は、バーコードリーダー、カメラの撮影手段、ＩＣタグの受信モジュール、無線通信手段などである。
【００４３】
ユーザ情報格納部１２２は、端末装置１２のユーザに関する情報であるユーザ情報を格納し得る。ユーザ情報とは、ユーザの識別情報、ユーザの属性値など。ユーザの識別情報とは、ユーザ名、ユーザＩＤ、携帯の電話番号など。属性値とは、性別、年齢、趣味、嗜好などである。
【００４４】
ユーザ情報格納部１２２は、不揮発性の記録媒体が好適であるが、揮発性の記録媒体でも実現可能である。ユーザ情報格納部１２２にユーザ情報が記憶される過程は問わない。例えば、記録媒体を介してユーザ情報がユーザ情報格納部１２２で記憶されるようになってもよく、通信回線等を介して送信されたユーザ情報がユーザ情報格納部１２２で記憶されるようになってもよく、あるいは、入力デバイスを介して入力されたユーザ情報がユーザ情報格納部１２２で記憶されるようになってもよい。
【００４５】
画面情報格納部１２３は、画面情報を格納し得る。画面情報とは、ユーザに所定の情報を入力する画面に関する情報である。画面情報格納部１２３は、不揮発性の記録媒体が好適であるが、揮発性の記録媒体でも実現可能である。画面情報格納部１２３に画面情報が記憶される過程は問わない。例えば、画面情報は、商品用容器１１の埋込情報部１１１から、情報取得部１２１が取得する。なお、画面情報は、ＨＴＭＬやプログラムなど、そのデータ構造、データ記述方法、実現方法は問わない。
【００４６】
位置情報取得部１２４は、位置情報を取得する。位置情報取得部１２４は、ＧＰＳ受信機などである。ただし、位置情報取得部１２４は、端末装置１２の位置を取得できる機能を有すれば、何でも良い。また、位置情報とは、通常、（緯度，経度）や（緯度，経度，高度）であるが、位置を示す情報であれば何でも良い。
【００４７】
画面出力部１２５は、情報取得部１２１が１または２以上の容器関連情報を取得した場合に、画面情報格納部１２３の画面情報を用いて、画面を出力する。ここで、出力とは、通常、ディスプレイへの表示であるが、プロジェクターを用いた投影、プリンタへの印字、音出力、外部の装置への送信、記録媒体への蓄積、他の処理装置や他のプログラムなどへの処理結果の引渡しなどを含む概念であると考えても良い。
【００４８】
画面出力部１２５は、ディスプレイ等の出力デバイスを含むと考えても含まないと考えても良い。画面出力部１２５は、出力デバイスのドライバーソフトまたは、出力デバイスのドライバーソフトと出力デバイス等で実現され得る。
【００４９】
受付部１２６は、画面に対するユーザの入力を受け付ける。ユーザの入力とは、例えば、商品に対する要望、消費の状況、消費後の感想などである。ここで、受け付けとは、キーボードやマウス、タッチパネルなどの入力デバイスから入力された情報の受け付け、有線もしくは無線の通信回線を介して送信された情報の受信、光ディスクや磁気ディスク、半導体メモリなどの記録媒体から読み出された情報の受け付けなどを含む概念である。入力手段は、テンキーやキーボードやマウスやメニュー画面によるもの等、何でも良い。受付部１２６は、テンキーやキーボード等の入力手段のデバイスドライバーや、メニュー画面の制御ソフトウェア等で実現され得る。
【００５０】
送信部１２７は、情報取得部１２１が取得した１または２以上の容器関連情報をサーバ装置１３に送信する。また、送信部１２７は、１または２以上の容器関連情報を含む送信情報を、サーバ装置１３に送信する。送信情報は、１または２以上の容器関連情報である。また、送信情報は、１または２以上の容器関連情報、および位置情報とユーザ情報と入力情報のうちの１以上の情報などでも良い。なお、入力情報とは、受付部１２６が受け付けた入力に対応する情報である。送信部１２７は、通常、無線または有線の通信手段で実現されるが、放送手段で実現されても良い。
【００５１】
受信部１２８は、送信部１２７における容器関連情報の送信に応じて、サーバ装置１３から情報を受信する。また、受信部１２８は、送信部１２７における送信情報の送信に応じて、サーバ装置１３から情報を受信する。また、送信部１２７が送信した位置情報に応じて、受信部１２８が受信する情報が異なることは好適である。また、送信部１２７が送信したユーザ情報に応じて、受信部１２８が受信する情報が異なることは好適である。ここで、受信部１２８が受信する情報は、商品の詳細説明、商品の利用方法、三次元ＣＧでのアニメ、販売店のイベント情報など、消費者が楽しんだり、有効活用したりできる情報であることは好適である。受信部１２８は、通常、無線または有線の通信手段で実現されるが、放送を受信する手段で実現されても良い。
【００５２】
出力部１２９は、受信部１２８が受信した情報を出力する。出力部１２９は、ディスプレイやスピーカー等の出力デバイスを含むと考えても含まないと考えても良い。出力部１２９は、出力デバイスのドライバーソフトまたは、出力デバイスのドライバーソフトと出力デバイス等で実現され得る。
【００５３】
サーバ装置１３を構成する送信情報格納部１３１は、端末装置１２から送信されてきた情報である送信情報の一部または全部を格納し得る。ここで、送信情報とは、容器関連情報は含み、位置情報や入力情報等を含んでも良い。送信情報格納部１３１は、不揮発性の記録媒体が好適であるが、揮発性の記録媒体でも実現可能である。送信情報格納部１３１に送信情報が記憶される過程は問わない。ただし、通常、後述する蓄積部１３５が、送信情報の一部または全部を送信情報格納部１３１に蓄積する。
【００５４】
情報格納部１３２は、容器関連情報、または容器関連情報と位置情報、または容器関連情報とユーザ情報、または容器関連情報と位置情報とユーザ情報とに対応付けて、端末装置１２に送信する情報を格納している。端末装置１２に送信する情報とは、例えば、上述したように、三次元ＣＧでのアニメ、販売店のイベント情報、商品の活用方法などである。情報格納部１３２は、不揮発性の記録媒体が好適であるが、揮発性の記録媒体でも実現可能である。情報格納部１３２に情報が記憶される過程は問わない。
【００５５】
送信先情報格納部１３３は、容器関連情報に対応付けて、送信先情報を格納し得る。送信先情報とは、送信情報の一部または全部を送信する先を特定する情報である。送信先情報とは、商品のメーカーへの連絡先のメールアドレス、ＦＡＸ番号、商品用容器１１のメーカーへの連絡先のメールアドレス、ＦＡＸ番号などである。送信先情報格納部１３３は、不揮発性の記録媒体が好適であるが、揮発性の記録媒体でも実現可能である。送信先情報格納部１３３に送信先情報が記憶される過程は問わない。
【００５６】
サーバ側受信部１３４は、端末装置１２から容器関連情報を含む送信情報を受信する。サーバ側受信部１３４は、通常、無線または有線の通信手段で実現されるが、放送を受信する手段で実現されても良い。
【００５７】
蓄積部１３５は、サーバ側受信部１３４が受信した送信情報の一部または全部を送信情報格納部１３１に蓄積する。蓄積部１３５は、通常、ＭＰＵやメモリ等から実現され得る。蓄積部１３５の処理手順は、通常、ソフトウェアで実現され、当該ソフトウェアはＲＯＭ等の記録媒体に記録されている。但し、ハードウェア（専用回路）で実現しても良い。
【００５８】
検索部１３６は、サーバ側受信部１３４が送信情報に対応する情報を、サーバ側受信部１３４が受信した容器関連情報を用いて、情報格納部１３２から取得する。検索部１３６は、通常、ＭＰＵやメモリ等から実現され得る。検索部１３６の処理手順は、通常、ソフトウェアで実現され、当該ソフトウェアはＲＯＭ等の記録媒体に記録されている。但し、ハードウェア（専用回路）で実現しても良い。
【００５９】
サーバ側送信部１３７は、検索部１３６が取得した情報を端末装置１２に送信する。サーバ側送信部１３７は、通常、無線または有線の通信手段で実現されるが、放送手段で実現されても良い。
【００６０】
情報転送部１３８は、サーバ側受信部１３４が受信した送信情報に関する情報を、送信情報が有する容器関連情報に対応する送信先情報が示す送信先に送信する。送信情報に関する情報とは、例えば、送信情報のうちの一部または全部、または送信情報を統計処理した情報など、送信情報から加工、構成され得る情報である。具体的には、まず、情報転送部１３８は、送信情報が有する容器関連情報に対応する送信先情報を送信先情報格納部１３３から読み出す。次に、読み出した送信先情報が示す送信先に、サーバ側受信部１３４が受信した送信情報に関する情報を送信する。情報転送部１３８は、通常、無線または有線の通信手段等で実現され得る。
次に、情報システム１の動作について説明する。まず、端末装置１２の動作について、図３のフローチャートを用いて説明する。
【００６１】
（ステップＳ３０１）情報取得部１２１は、商品用容器１１から、埋込情報部１１１に埋め込まれている容器関連情報等を取得したか否かを判断する。容器関連情報等を取得すればステップＳ３０２に行き、容器関連情報等を取得しなければステップＳ３０１に戻る。容器関連情報等とは、例えば、容器関連情報のみ、容器関連情報と商品に関する他の情報、容器関連情報と画面情報などである。
【００６２】
（ステップＳ３０２）情報取得部１２１は、ステップＳ３０１で取得した容器関連情報等の中に、画面情報が存在するか否かを判断する。画面情報が存在すればステップＳ３０３に行き、存在しなければステップＳ３０６に行く。なお、画面情報が存在する場合、情報取得部１２１は、当該画面情報を画面情報格納部１２３に蓄積する。
【００６３】
（ステップＳ３０３）画面出力部１２５は、画面情報格納部１２３の画面情報を読み出し、当該画面情報を用いて、画面を出力する。この画面は、例えば、ユーザに対して、商品の感想や、商品に関する提案等の入力を促す画面である。
【００６４】
（ステップＳ３０４）受付部１２６は、画面に対するユーザの入力を受け付けたか否かを判断する。入力を受け付ければステップＳ３０５に行き、入力を受け付けなければステップＳ３１６に行く。
【００６５】
（ステップＳ３０５）送信部１２７は、ステップＳ３０４で受け付けられた入力に対応する入力情報を取得する。なお、通常、ユーザにより入力された情報が入力情報である。
【００６６】
（ステップＳ３０６）位置情報取得部１２４は、位置情報を取得する。
【００６７】
（ステップＳ３０７）送信部１２７は、ユーザ情報格納部１２２からユーザ情報を読み出す。
【００６８】
（ステップＳ３０８）送信部１２７は、容器関連情報、位置情報、ユーザ情報、および入力情報から、送信情報を構成し、当該送信情報をサーバ装置１３に送信する。なお、送信情報には、容器関連情報は含まれるが、他の情報は含まれていない場合もあり得る。
【００６９】
（ステップＳ３０９）受信部１２８は、送信部１２７における送信情報の送信に応じて、サーバ装置１３から情報等を受信したか否かを判断する。情報等を受信すればステップＳ３１０に行き、情報等を受信しなければステップＳ３０９に戻る。
【００７０】
（ステップＳ３１０）出力部１２９は、受信部１２８が受信した情報を出力する。なお、ここで、出力する情報は、受信された情報等から画面情報を除く情報である。
【００７１】
（ステップＳ３１１）画面出力部１２５は、ステップＳ３０９で受信された情報等の中に、画面情報を有するか否かを判断する。画面情報を有せばステップＳ３１２に行き、有さなければ処理を終了する。
【００７２】
（ステップＳ３１２）画面出力部１２５は、ステップＳ３０９で受信された情報等の中の画面情報を取得し、当該画面情報を用いて、画面を出力する。
【００７３】
（ステップＳ３１３）受付部１２６は、画面に対するユーザの入力を受け付けたか否かを判断する。入力を受け付ければステップＳ３１４に行き、入力を受け付けなければステップＳ３１７に行く。
【００７４】
（ステップＳ３１４）送信部１２７は、ステップＳ３１３で受け付けられた入力に対応する入力情報を取得する。
【００７５】
（ステップＳ３１５）送信部１２７は、ステップＳ３１４で取得した入力情報をサーバ装置１３に送信する。なお、かかる入力情報のみを、送信情報と呼んでも良い。ステップＳ３１１に戻る。
【００７６】
（ステップＳ３１６）受付部１２６は、タイムアウトであるか否かを判断する。タイムアウトであればステップＳ３０６に行き、タイムアウトでなければステップＳ３０４に戻る。
【００７７】
（ステップＳ３１７）受付部１２６は、タイムアウトであるか否かを判断する。タイムアウトであれば処理を終了し、タイムアウトでなければステップＳ３１３に戻る。
【００７８】
次に、サーバ装置１３の動作について、図４のフローチャートを用いて説明する。
【００７９】
（ステップＳ４０１）サーバ側受信部１３４は、端末装置１２から容器関連情報を含む送信情報を受信したか否かを判断する。送信情報を受信すればステップＳ４０２に行き、送信情報を受信しなければステップＳ４０６に行く。
【００８０】
（ステップＳ４０２）蓄積部１３５は、ステップＳ４０１で受信された送信情報の一部または全部を送信情報格納部１３１に蓄積する。
【００８１】
（ステップＳ４０３）検索部１３６は、ステップＳ４０１で受信された送信情報から容器関連情報を取得する。
【００８２】
（ステップＳ４０４）検索部１３６は、ステップＳ４０３で取得した容器関連情報を用いて、サーバ側受信部１３４が受信した送信情報に対応する情報を、情報格納部１３２から取得する。なお、かかる場合、検索部１３６は、送信情報中に入力情報を含むか否かにより、取得する情報が異なることは好適である。また、検索部１３６は、送信情報中の位置情報により、取得する情報が異なることは好適である。さらに、検索部１３６は、送信情報中のユーザ情報により、取得する情報が異なることは好適である。
【００８３】
（ステップＳ４０５）サーバ側送信部１３７は、検索部１３６が取得した情報を端末装置１２に送信する。ステップＳ４０１に戻る。
【００８４】
（ステップＳ４０６）サーバ側受信部１３４は、端末装置１２から入力情報を受信したか否かを判断する。入力情報を受信すればステップＳ４０７に行き、入力情報を受信しなければステップＳ４０８に行く。
【００８５】
（ステップＳ４０７）蓄積部１３５は、入力情報を受信する前に同一の端末装置１２から受信された容器関連情報に対応付けて、ステップＳ４０６で受信された入力情報を、送信情報格納部１３１に蓄積する。かかる入力情報も、送信情報を構成する。ステップＳ４０３に行く。
【００８６】
（ステップＳ４０８）情報転送部１３８は、送信情報に関する情報を、転送するタイミングであるか否かを判断する。転送するタイミングであればステップＳ４０９に行き、転送するタイミングでなければステップＳ４０１に戻る。なお、転送するタイミングとは、例えば、予め決められた時刻であったり、予め決められた量や数のデータ（送信情報に関する情報）が蓄積されていたりする場合である。
【００８７】
（ステップＳ４０９）情報転送部１３８は、カウンタｉに１を代入する。
【００８８】
（ステップＳ４１０）情報転送部１３８は、送信先情報格納部１３３の中に、ｉ番目の送信先情報が存在するか否かを判断する。ｉ番目の送信先情報が存在すればステップＳ４１１に行き、存在しなければステップＳ４０１に戻る。
【００８９】
（ステップＳ４１１）情報転送部１３８は、ｉ番目の送信先情報を、送信先情報格納部１３３から取得する。
【００９０】
（ステップＳ４１２）情報転送部１３８は、ｉ番目の送信先情報と対になる１以上の容器関連情報を、送信先情報格納部１３３から読み出す、
【００９１】
（ステップＳ４１３）情報転送部１３８は、ステップＳ４１２で取得した１以上の容器関連情報を含む１以上の送信情報を、送信情報格納部１３１から読み出す。
【００９２】
（ステップＳ４１４）情報転送部１３８は、ステップＳ４１３で読み出した１以上の送信情報を、ｉ番目の送信先情報が示す送信先に送信する。なお、ここで、送信する情報は、１以上の送信情報を統計処理した結果などでも良い。
【００９３】
（ステップＳ４１５）情報転送部１３８は、カウンタｉを１、インクリメントする。ステップＳ４１０に戻る。
【００９４】
なお、図４のフローチャートにおいて、電源オフや処理終了の割り込みにより処理は終了する。
【００９５】
以下、本実施の形態における情報システム１の具体的な動作について説明する。情報システム１の概念図は図１である。
【００９６】
今、サーバ装置１３の情報格納部１３２は、図５に示す提供情報管理表を保持している。提供情報管理表は、商品の消費者に提供する情報を管理している表である。提供情報管理表は、「ＩＤ」「容器関連情報」「位置情報」「ユーザ情報」「入力情報」「送信回」「送信する情報」の属性値を有する１以上のレコードを管理している。「容器関連情報」は、ここでは、容器の中の商品名であるが、商品用容器に関する情報であれば何でも良い。また、「位置情報」「ユーザ情報」「入力情報」「送信回」は、送信する情報を取得するための条件を示す。「ＩＤ＝１」のレコードにおいて、一のユーザに対して１回目に情報を送信する場合は、「ｃｈａｒＡ．ｇｉｆ」を送信し、２回目に情報を送信する場合は、「ｃｈａｒＢ．ｇｉｆ」を送信し、３回目以降に情報を送信する場合は、「ｃｈａｒＣ．ｇｉｆ」を送信することを示す。なお、「ＩＤ＝１」のレコードにおいて、商品を購入頂くことにより、情報を収集してもらい、情報を収集したいと希望するユーザの商品購入意欲を高める、という効果がある。
【００９７】
また、「ＩＤ＝２」のレコードにおいて、位置情報が「範囲Ａ」の位置情報の消費者には、「情報Ａ．ｔｘｔ」を送信し、「範囲Ｂ」の位置情報の消費者には、「情報Ｂ．ｔｘｔ」を送信することを示す。なお、「範囲Ａ」「範囲Ｂ」は、例えば、緯度または／および経度により規定される範囲であり、例えば、「範囲Ａ」は「経度＞＝東経１３５度」、「範囲Ｂ」は「経度＜東経１３５度」などである。
【００９８】
また、提供情報管理表において、送信する情報を取得するための条件は、一致だけではなく、種々の条件を既定できる。例えば、「ＩＤ＝６」のレコードにおいて、端末装置１２から送信された入力情報内の属性値「満足度」が３以上であれば、送信する情報は「情報Ｃ．ｈｍｌ」であり、「満足度」が３未満であれば、送信する情報は「情報Ｄ．ｈｍｌ」であることを示す。
【００９９】
また、提供情報管理表において、複数の属性値を用いた条件を規定できることは言うまでもない。例えば、「ＩＤ＝７」のレコードにおいて、位置情報が「範囲Ｘ」であり、かつユーザ情報が「２０才未満」であれば送信する情報は「Ａ．ｍｐ３」であり、位置情報が「範囲Ｘ」であり、かつユーザ情報が「２０才以上」であれば送信する情報は「Ｂ．ｍｐ３」であり、位置情報が「範囲Ｙ」であり、かつユーザ情報が「２０才未満」であれば送信する情報は「Ｃ．ｍｐ３」であり、位置情報が「範囲Ｙ」であり、かつユーザ情報が「２０才以上」であれば送信する情報は「Ｄ．ｍｐ３」である。かかることは、商品が消費される地域（位置）と、年齢層等のユーザ属性により、音楽の好みの違いが有る得ることに対応したものである。
【０１００】
さらに、提供情報管理表における「送信する情報」の属性値に対応する実体データは、情報格納部１３２が保持している、とする。
【０１０１】
また、サーバ装置１３の送信先情報格納部１３３は、図６の送信先情報管理表を保持している。送信先情報管理表は、「ＩＤ」「容器関連情報」「会社名」「送信先情報」の属性値を有する１以上のレコードを管理している。「送信先情報」は、メールアドレス、ＩＰアドレス、電話番号等、相手先を特定する情報であれば何でも良い。
【０１０２】
さらに、サーバ装置１３の送信情報格納部１３１は、図７に示す送信情報管理表を保持している。送信情報管理表は、「ＩＤ」「ユーザＩＤ」「送信情報」「送信回」を有する１以上のレコードを管理している。また、「送信情報」は、「容器関連情報」「位置情報」「ユーザ情報」「入力情報」を有する。「ユーザ情報」は、「性別」「年令」などを有する。図７の「−」はＮＵＬＬである。
【０１０３】
かかる状況において、商品用容器１１の違いより、以下の４つの具体例について、説明する。商品用容器１１の違いとは、商品用容器１１における、埋込情報部１１１の存在場所の違いである。なお、埋込情報部１１１は、外部から隠蔽されている領域に、埋め込まれていることは上述した通りである。
（具体例１）
【０１０４】
具体例１は、埋込情報部１１１が、商品用容器１１の蓋の裏面に存在する場合である。かかる場合の商品用容器１１を、図８に示す。図８は、商品名「お茶Ｂ」の缶である。そして、「お茶Ｂ」の缶の蓋の裏側に埋込情報部１１１が存在する。また、埋込情報部１１１は、例えば、ＩＣタグである。なお、ここで、「お茶Ｂ」の缶の蓋を空けるまで、缶の外には、ＩＣタグからの情報送信はされない、とする。さらに、埋込情報部１１１には、容器関連情報「お茶Ｂ」が格納されている。
【０１０５】
そして、「お茶Ｂ」を購入した消費者は、「お茶Ｂ」を飲もうとして、蓋を空けた、とする。
【０１０６】
次に、消費者は、自分の端末装置１２で、埋込情報部１１１から容器関連情報「お茶Ｂ」を受信する。つまり、情報取得部１２１は、商品用容器１１から、埋込情報部１１１に埋め込まれている容器関連情報を受信する。次に、情報取得部１２１は、受信した容器関連情報等の中に、画面情報が存在しないと判断する。
【０１０７】
次に、位置情報取得部１２４は、位置情報（Ｘ５，Ｙ５）を取得する。そして、送信部１２７は、端末装置１２のユーザ情報格納部１２２からユーザ情報「ユーザＩＤ：０９０−９９９９−８８７７，性別：男性，年令：３９才」を読み出す。
【０１０８】
次に、送信部１２７は、容器関連情報、位置情報、およびユーザ情報から、送信情報「容器関連情報：お茶Ｂ，位置情報：（Ｘ５，Ｙ５），ユーザＩＤ：０９０−９９９９−８８７７，性別：男性，年令：３９才」を構成し、当該送信情報をサーバ装置１３に送信する。
【０１０９】
次に、サーバ装置１３のサーバ側受信部１３４は、端末装置１２から容器関連情報を含む送信情報を受信する。
【０１１０】
次に、蓄積部１３５は、ユーザＩＤ「０９０−９９９９−８８７７」および容器関連情報「お茶Ｂ」をキーとして、送信情報管理表を検索し、ユーザＩＤ「０９０−９９９９−８８７７」および容器関連情報「お茶Ｂ」に合致するレコード数「１」を取得した、とする。そして、蓄積部１３５は、レコード数「１」に１を加えて、送信回数「２」を算出する。次に、蓄積部１３５は、受信された送信情報と、送信回数「２」を送信情報格納部１３１に蓄積する。そして、図９の送信情報管理表の「ＩＤ＝４０」のレコードを得る。
【０１１１】
次に、検索部１３６は、受信された送信情報の中の容器関連情報「お茶Ｂ」等を用いて、サーバ側受信部１３４が送信情報に対応する情報を、情報格納部１３２から取得する。ここでは、検索部１３６は、位置情報：（Ｘ５，Ｙ５）が「範囲Ｂ」に入ると判断し、図５の提供情報管理表から、容器関連情報「お茶Ｂ」、位置情報「範囲Ｂ」を有するレコードの
「送信する情報」（情報Ｂ．ｔｘｔ）を取得する。
【０１１２】
次に、サーバ側送信部１３７は、検索部１３６が取得した情報「情報Ｂ．ｔｘｔ」を端末装置１２に送信する。
【０１１３】
次に、端末装置１２の受信部１２８は、送信部１２７における送信情報の送信に応じて、サーバ装置１３から情報「情報Ｂ．ｔｘｔ」を受信する。そして、出力部１２９は、受信部１２８が受信した情報「情報Ｂ．ｔｘｔ」を出力する。
【０１１４】
本具体例において、消費者が、商品を購入後、消費の段階で、はじめて情報を入手できる。つまり、商品提供側は、商品が購入された、消費されることを把握できる。また、位置情報やユーザ情報がサーバ装置１３に送信される場合、商品の提供者が、どのような人がどこで商品を購入、または消費するかを把握できる。
（具体例２）
【０１１５】
具体例２は、埋込情報部１１１は、商品用容器１１の内部に存在する場合である。ここでは、商品用容器１１の内部とは、商品用容器１１の内部である側面である、とする。かかる場合の商品用容器１１を、図１０に示す。図１０は、商品名「化粧品Ｆ」の容器である。そして、「化粧品Ｆ」の容器の内部である側面に埋込情報部１１１が存在する。また、埋込情報部１１１は、例えば、ＱＲコード（登録商標）である。なお、ここで、消費者が「化粧品Ｆ」の容器の蓋を空け、商品を消費し、ＱＲコードが見えるようになるまで、消費者にはＱＲコードは見えない。さらに、埋込情報部１１１には、容器関連情報「化粧品Ｆ」とアンケートの画面情報が格納されている。
【０１１６】
そして、消費者が化粧品Ｆを消費し、容器の内部の側面に印刷されているＱＲコードが見えるようになった後、消費者が端末装置１２を用いて、ＱＲコードを読み取ったとする。そして、情報取得部１２１は、ＱＲコードから、容器関連情報「化粧品Ｆ」とアンケートの画面情報を取得する。そして、情報取得部１２１は、画面情報を画面情報格納部１２３に一時蓄積する。
【０１１７】
次に、情報取得部１２１は、受信した容器関連情報等の中に、画面情報が存在すると判断する。
【０１１８】
次に、画面出力部１２５は、画面情報格納部１２３の画面情報を読み出し、当該画面情報を用いて、画面を出力する。なお、この画面情報は、化粧品Ｆのアンケートの入力を促す画面の情報である。
【０１１９】
次に、ユーザは、アンケートの入力を行う。この入力には、「満足度＝４」の情報が含まれる。
【０１２０】
そして、受付部１２６は、画面に対するユーザの入力を受け付ける。次に、送信部１２７は、受け付けられた入力に対応する入力情報（「満足度＝４」を含む）を取得する。次に、位置情報取得部１２４は、位置情報（Ｘ６，Ｙ６）を取得する。次に、送信部１２７は、ユーザ情報格納部１２２からユーザ情報「ユーザＩＤ：０８０−３３２２−４４４４，性別：女性，年令：２５才」を読み出す。
【０１２１】
次に、送信部１２７は、容器関連情報、位置情報、およびユーザ情報から、送信情報「容器関連情報：化粧品Ｆ，位置情報：（Ｘ６，Ｙ６），ユーザＩＤ：０８０−３３２２−４４４４，性別：女性，年令：２５才，入力情報：満足度＝４・・・」を構成し、当該送信情報をサーバ装置１３に送信する。
【０１２２】
次に、サーバ装置１３のサーバ側受信部１３４は、端末装置１２から容器関連情報を含む送信情報を受信する。
【０１２３】
次に、蓄積部１３５は、ユーザＩＤ「０８０−３３２２−４４４４」および容器関連情報「化粧品Ｆ」をキーとして、送信情報管理表を検索し、ユーザＩＤ「０８０−３３２２−４４４４」および容器関連情報「化粧品Ｆ」に合致するレコード数「０」を取得した、とする。そして、蓄積部１３５は、レコード数「０」に１を加えて、送信回数「１」を算出する。次に、蓄積部１３５は、受信された送信情報と、送信回数「１」を送信情報格納部１３１に蓄積する。そして、図９の送信情報管理表の「ＩＤ＝４１」のレコードを得る。
【０１２４】
次に、検索部１３６は、受信された送信情報の中の容器関連情報「化粧品Ｆ」等を用いて、サーバ側受信部１３４が送信情報に対応する情報を、情報格納部１３２から取得する。ここでは、検索部１３６は、容器関連情報「化粧品Ｆ」、入力情報「満足度＝４」をキーとして、図５の提供情報管理表を検索し、図５の提供情報管理表から「送信する情報」（情報Ｃ．ｈｍｌ）を取得する。
【０１２５】
次に、サーバ側送信部１３７は、検索部１３６が取得した情報「情報Ｃ．ｈｍｌ」を端末装置１２に送信する。
【０１２６】
次に、端末装置１２の受信部１２８は、送信部１２７における送信情報の送信に応じて、サーバ装置１３から情報「情報Ｃ．ｈｍｌ」を受信する。そして、出力部１２９は、受信部１２８が受信した情報「情報Ｃ．ｈｍｌ」を出力する。
【０１２７】
本具体例において、消費者が、一定以上、商品を消費した後に、はじめて情報を入手できる。つまり、商品提供側は、商品の消費が一定以上完了したことを把握できる。また、位置情報やユーザ情報がサーバ装置１３に送信される場合、商品の提供者が、どのような人がどこで商品を消費するかを把握できる。
（具体例３）
【０１２８】
具体例３は、埋込情報部１１１は、商品用容器１１の内部の底に存在する場合である。かかる場合の商品用容器１１を、図１１に示す。商品用容器１１の内部の底にＱＲコードの埋込情報部１１１が存在する。そして、埋込情報部１１１には、「食品Ｇ」が埋め込まれている。
【０１２９】
そして、この「食品Ｇ」の消費者がこの商品をすべて消費した後、埋込情報部１１１が表面に現れた、とする。
【０１３０】
そして、消費者が端末装置１２を用いて、ＱＲコードを読み取ったとする。そして、情報取得部１２１は、ＱＲコードから、容器関連情報「食品Ｇ」を取得する。
【０１３１】
次に、情報取得部１２１は、受信した容器関連情報等の中に、画面情報が存在しないと判断する。
【０１３２】
次に、位置情報取得部１２４は、位置情報（Ｘ７，Ｙ７）を取得する。次に、送信部１２７は、ユーザ情報格納部１２２からユーザ情報「ユーザＩＤ：０８０−３３２２−４４４４，性別：女性，年令：２５才」を読み出す。
【０１３３】
次に、送信部１２７は、容器関連情報、位置情報、およびユーザ情報から、送信情報「容器関連情報：食品Ｇ，位置情報：（Ｘ７，Ｙ７），ユーザＩＤ：０８０−３３２２−４４４４，性別：女性，年令：２５才」を構成し、当該送信情報をサーバ装置１３に送信する。
【０１３４】
次に、サーバ装置１３のサーバ側受信部１３４は、端末装置１２から容器関連情報を含む送信情報を受信する。
【０１３５】
次に、蓄積部１３５は、ユーザＩＤ「０８０−３３２２−４４４４」および容器関連情報「食品Ｇ」をキーとして、送信情報管理表を検索し、ユーザＩＤ「０８０−３３２２−４４４４」および容器関連情報「食品Ｇ」に合致するレコード数「０」を取得した、とする。そして、蓄積部１３５は、レコード数「０」に１を加えて、送信回数「１」を算出する。次に、蓄積部１３５は、受信された送信情報と、送信回数「１」を送信情報格納部１３１に蓄積する。そして、図９の送信情報管理表の「ＩＤ＝４２」のレコードを得る。
【０１３６】
次に、検索部１３６は、受信された送信情報の中の容器関連情報「食品Ｇ」等を用いて、サーバ側受信部１３４が送信情報に対応する情報を、情報格納部１３２から取得する。つまり、検索部１３６は、位置情報（Ｘ７，Ｙ７）が「範囲Ｙ」に合致する、と判断した、とする。また、検索部１３６は、「年令：２５才」から、ユーザ情報「２０才以上」に合致する、と判断する。
【０１３７】
そして、検索部１３６は、容器関連情報「食品Ｇ」、位置情報「範囲Ｙ」、ユーザ情報「２０才以上」に合致するレコードのうちの送信する情報「Ｄ．ｍｐ３」を、図５の提供情報管理表から取得する。
【０１３８】
次に、サーバ側送信部１３７は、検索部１３６が取得した情報「Ｄ．ｍｐ３」を端末装置１２に送信する。
【０１３９】
次に、端末装置１２の受信部１２８は、送信部１２７における送信情報の送信に応じて、サーバ装置１３から情報「Ｄ．ｍｐ３」を受信する。そして、出力部１２９は、受信部１２８が受信した情報「Ｄ．ｍｐ３」を出力する。ここでの出力は、記録媒体への蓄積が好適であるが、音出力等でも良い。
【０１４０】
本具体例において、消費者が、概ね商品を消費した後に、はじめて情報を入手できる。つまり、商品提供側は、商品の消費が概ね完了したことを把握できる。また、位置情報やユーザ情報がサーバ装置１３に送信される場合、商品の提供者が、どのような人がどこで商品を消費したかを把握できる。
（具体例４）
【０１４１】
具体例４は、埋込情報部１１１は、商品用容器１１の表面であるが、不透明のシールで隠蔽されている場合である。ここで、埋込情報部１１１は、例えば、ＱＲコードである。そして、ＱＲコードには、容器関連情報「食材Ｄ」が格納されている。また、商品用容器１１は、袋であり、その表面に不透明のシールが貼付され、その下にＱＲコードが印刷されている、とする。
【０１４２】
そして、消費者は、「食材Ｄ」を購入し、貼られているシールを剥がした、とする。そして、図１２に示すように、商品用容器１１の表面に、ＱＲコードが出現する。
【０１４３】
そして、ユーザ指示により、端末装置１２の情報取得部１２１は、ＱＲコードから、容器関連情報「食材Ｄ」を読み取る、とする。
【０１４４】
次に、情報取得部１２１は、受信した容器関連情報等の中に、画面情報が存在しないと判断する。
【０１４５】
次に、位置情報取得部１２４は、位置情報（Ｘ８，Ｙ８）を取得する。次に、送信部１２７は、ユーザ情報格納部１２２からユーザ情報「ユーザＩＤ：０８０−３３２２−４４４４，性別：女性，年令：２５才」を読み出す。
【０１４６】
次に、送信部１２７は、容器関連情報、位置情報、およびユーザ情報から、送信情報「容器関連情報：食材Ｄ，位置情報：（Ｘ８，Ｙ８），ユーザＩＤ：０８０−３３２２−４４４４，性別：女性，年令：２５才」を構成し、当該送信情報をサーバ装置１３に送信する。
【０１４７】
次に、サーバ装置１３のサーバ側受信部１３４は、端末装置１２から容器関連情報を含む送信情報を受信する。
【０１４８】
次に、蓄積部１３５は、受信された送信情報を送信情報格納部１３１に蓄積する。ここで、蓄積された情報は、図９の「ＩＤ＝４３」のレコードである。
【０１４９】
次に、蓄積部１３５は、ユーザＩＤ「０８０−３３２２−４４４４」および容器関連情報「食材Ｄ」をキーとして、送信情報管理表を検索し、ユーザＩＤ「０８０−３３２２−４４４４」および容器関連情報「食材Ｄ」に合致するレコード数「０」を取得した、とする。そして、蓄積部１３５は、レコード数「０」に１を加えて、送信回数「１」を算出する。次に、蓄積部１３５は、受信された送信情報と、送信回数「１」を送信情報格納部１３１に蓄積する。そして、図９の送信情報管理表の「ＩＤ＝４３」のレコードを得る。なお、この段階では、図９の送信情報管理表の「ＩＤ＝４３」のレコードの中の属性値「入力情報」はＮＵＬＬ「−」である。
【０１５０】
次に、検索部１３６は、受信された送信情報の中の容器関連情報「食材Ｄ」等を用いて、サーバ側受信部１３４が送信情報に対応する情報を、情報格納部１３２から取得する。ここでは、検索部１３６は、容器関連情報「食材Ｄ」、入力情報「無し」をキーとして、図５の提供情報管理表を検索し、図５の提供情報管理表から「送信する情報」（商品情報．ｇｉｆ）を取得する。
【０１５１】
次に、サーバ側送信部１３７は、検索部１３６が取得した情報「商品情報．ｇｉｆ」、および画面情報を端末装置１２に送信する。
【０１５２】
次に、端末装置１２の受信部１２８は、送信部１２７における送信情報の送信に応じて、サーバ装置１３から情報「商品情報．ｇｉｆ」、および画面情報を受信する。そして、出力部１２９は、受信部１２８が受信した情報「商品情報．ｇｉｆ」を出力する。
【０１５３】
次に、画面出力部１２５は、受信された情報等の中に、画面情報を有する、と判断する。そして、画面出力部１２５は、画面情報から画面を出力する。この画面は、ユーザからの入力を受け付ける画面である。
【０１５４】
次に、ユーザは、画面から、情報を入力した、とする。そして、受付部１２６は、画面に対するユーザの入力「これは、おいしい・・・・。」を受け付ける。送信部１２７は、受け付けられた入力に対応する入力情報を取得する。そして、送信部１２７は、取得した入力情報をサーバ装置１３に送信する。
【０１５５】
次に、サーバ側受信部１３４は、端末装置１２から入力情報を受信する。そして、蓄積部１３５は、入力情報を受信する前に、同一の端末装置１２から受信された容器関連情報に対応付けて、受信された入力情報を、送信情報格納部１３１に蓄積する。ここで、蓄積された入力情報は、図９の送信情報管理表の「ＩＤ＝４３」のレコードの中の属性値「入力情報」である。
【０１５６】
次に、検索部１３６は、容器関連情報「食材Ｄ」、入力情報「有り」に合致するレコードのうちの送信する情報「レシピ情報．ｇｉｆ」を、図５の提供情報管理表から取得する。
【０１５７】
次に、サーバ側送信部１３７は、検索部１３６が取得した情報「レシピ情報．ｇｉｆ」を端末装置１２に送信する。
【０１５８】
そして、受信部１２８は、送信部１２７における入力情報の送信に応じて、サーバ装置１３から情報を受信する。次に、出力部１２９は、受信部１２８が受信した情報を出力する。
【０１５９】
本具体例において、消費者は、商品購入後、一定の情報を入手でき、かつ、情報の入力および送信後、さらに有効な情報（ここでは、レシピの情報）を入手できる。また、位置情報やユーザ情報がサーバ装置１３に送信される場合、商品の提供者が、どのような人がどこで商品を購入するかを把握できる。
【０１６０】
以上、本実施の形態によれば、商品が消費者に概ね確実に渡った状況において、消費者に対して有効な情報を提供する商品用容器を提供できる。
【０１６１】
また、本実施の形態によれば、どのような消費者がどこで商品を購入または消費するかの情報を収集できる。
【０１６２】
なお、本実施の形態によれば、商品用容器１１は、図１３（ａ）に示すようなものでも良い。そして、埋込情報部１１１は、販売時には表面に出ていないが、購入し、消費する段階では、表面に露出する領域に存在することで良い。図１３（ｂ）において、商品用容器１１の缶のキャップの上面に埋込情報部１１１（ＱＲコード）が存在するが、販売時には、商品用容器１１内の飲料を飲むためのコップで隠されており、読み取ることができないものである。
【０１６３】
また、本実施の形態において、サーバ装置１３の情報転送部１３８は、予め決められたタイミングで、上記のステップＳ４０８からステップＳ４１５の処理により、送信情報や１以上の送信情報を統計処理した結果などを、転送先に送信しても良い。かかることは、本明細書における他の実施の形態においても該当する。
【０１６４】
また、本実施の形態における端末装置１２やサーバ装置１３の処理は、ソフトウェアで実現しても良い。そして、このソフトウェアをソフトウェアダウンロード等により配布しても良い。また、このソフトウェアをＣＤ−ＲＯＭなどの記録媒体に記録して流布しても良い。なお、このことは、本明細書における他の実施の形態においても該当する。
（実施の形態２）
【０１６５】
本実施の形態において、商品用容器は、商品用容器の表面の２以上の箇所に、当該商品用容器に関する情報である容器関連情報が埋め込まれた埋込情報部を有する。かかる点が、実施の形態１と異なる点である。
【０１６６】
本実施の形態における情報システム２の概念図は、符号の違いはあるが、実施の形態１の図１と同等である。
図１４は、本実施の形態における情報システム２のブロック図である。
情報システム２は、１以上の商品用容器２１、１以上の端末装置２２、およびサーバ装置２３を具備する。
【０１６７】
商品用容器２１は、埋込情報部２１１を具備する。商品用容器２１は、その表面の２以上の箇所に、容器関連情報が埋め込まれた２以上の埋込情報部２１１を有する。２以上の埋込情報部２１１を有することにより、商品を手に持って回転させるなど、商品がユーザの自由になる場合のみ、２以上の埋込情報部２１１の２以上の容器関連情報が取得され得る。この２以上の容器関連情報は、商品の表面と裏面の両面に存在するなど、商品を手に持って、回転させるなどしなければ、すべての埋込情報部２１１から容器関連情報が取得できないことが好適である。つまり、商品用容器２１は、商品を置いた場合に、どの角度からも、すべての埋込情報部２１１が見えないように、２以上の埋込情報部２１１を有することが好適である。
【０１６８】
端末装置２２は、情報取得部１２１、ユーザ情報格納部１２２、画面情報格納部１２３、位置情報取得部１２４、画面出力部１２５、受付部１２６、送信部２２７、受信部１２８、出力部１２９を具備する。
【０１６９】
サーバ装置２３は、送信情報格納部１３１、情報格納部１３２、送信先情報格納部１３３、サーバ側受信部２３４、蓄積部２３５、検索部２３６、サーバ側送信部１３７、情報転送部１３８を具備する。
【０１７０】
送信部２２７は、情報取得部１２１が取得した２以上の容器関連情報をサーバ装置２３に送信する。また、送信部２２７は、２以上の容器関連情報を有する送信情報を、サーバ装置１３に送信しても良い。送信情報は、２以上の容器関連情報、または２以上の容器関連情報、および位置情報とユーザ情報と入力情報のうちの１以上の情報などである。送信部２２７は、第一の容器関連情報を含む第一の送信情報をサーバ装置１３に送信した後、第二の容器関連情報を含む第二の送信情報をサーバ装置１３に送信しても良い。つまり、送信部２２７は、２以上の送信情報を同時に送信しても良いし、時間の間隔をあけて送信しても良い。送信部２２７は、通常、無線または有線の通信手段で実現されるが、放送手段で実現されても良い。
【０１７１】
サーバ側受信部２３４は、端末装置２２から、２以上の容器関連情報を含む送信情報を受信する。サーバ側受信部２３４は、２以上の送信情報を同時に受信しても良いし、時間の間隔をあけて受信しても良い。サーバ側受信部２３４は、通常、無線または有線の通信手段で実現されるが、放送を受信する手段で実現されても良い。
【０１７２】
蓄積部２３５は、サーバ側受信部２３４が受信した送信情報の一部または全部を送信情報格納部１３１に蓄積する。蓄積部２３５は、通常、ＭＰＵやメモリ等から実現され得る。蓄積部２３５の処理手順は、通常、ソフトウェアで実現され、当該ソフトウェアはＲＯＭ等の記録媒体に記録されている。但し、ハードウェア（専用回路）で実現しても良い。
【０１７３】
検索部２３６は、サーバ側受信部２３４が受信した２以上の送信情報に対応する情報を、情報格納部１３２から取得する。例えば、検索部２３６は、サーバ側受信部２３４が順次、送信情報を受信した場合、送信情報に対応する情報が検索されるすべての送信情報（容器関連情報）がサーバ側受信部２３４により受信された後、２以上の送信情報に対応する情報を、情報格納部１３２から取得する。
次に、情報システム２の動作について説明する。まず、端末装置２２の動作について説明する。端末装置２２の動作は、端末装置１２の動作と概ね同様である。ただし、端末装置２２の送信部２２７は、情報取得部１２１が、商品用容器２１が有する２以上のすべての埋込情報部２１１から２以上の容器関連情報を取得するまで、容器関連情報を送信せずに、図示しない記憶媒体に一時蓄積しておいても良い。かかる場合、例えば、埋込情報部２１１は、容器関連情報と商品用容器２１が有する埋込情報部２１１の数の情報が埋め込まれており、情報取得部１２１はかかる容器関連情報と埋込情報部２１１の数とを取得することとなる。そして、送信部２２７は、情報取得部１２１が取得した容器関連情報の数が、埋込情報部２１１の数になるまで送信せず、埋込情報部２１１の数になった時に、一時蓄積しておいた容器関連情報を含めて、埋込情報部２１１の数の容器関連情報を、サーバ装置２３に送信する。
【０１７４】
次に、サーバ装置２３の動作について、図１５のフローチャートを用いて説明する。図１５のフローチャートにおいて、図４のフローチャートと同一のステップについて、説明を省略する。
【０１７５】
（ステップＳ１５０１）検索部２３６は、バッファに一時格納されている容器関連情報を含む情報であり、ステップＳ４０２で受信した送信情報に含まれるユーザＩＤと容器関連情報とを有する情報をすべて取得する。なお、ここで、検索部２３６は、情報を取得できない場合もある。ここで、検索部２３６は、ユーザＩＤと、容器関連情報と何らかの関係のある情報をすべて取得しても良い。容器関連情報と何らかの関係のある情報とは、容器関連情報と一致する容器関連情報を有する情報、容器関連情報と部分一致する容器関連情報を有する情報などである。
【０１７６】
（ステップＳ１５０２）検索部２３６は、ステップＳ４０２で受信した送信情報に含まれる容器関連情報等、またはステップＳ４０２で受信した送信情報に含まれる容器関連情報等とステップＳ１５０１で取得した情報とを用いて、サーバ側受信部２３４が受信した送信情報に対応する情報を、情報格納部１３２から取得する。なお、ここで、検索部２３６は、情報を取得できない場合もある。
【０１７７】
（ステップＳ１５０３）サーバ側送信部１３７は、ステップＳ１５０２で情報が取得されたか否かを判断する。情報が取得されていればステップＳ４０５に行き、情報が取得されていなければステップＳ４０１に戻る。
【０１７８】
なお、図１５のフローチャートにおいて、電源オフや処理終了の割り込みにより処理は終了する。
【０１７９】
以下、本実施の形態における情報システム２の具体的な動作について説明する。情報システム２の概念図は図１である。
【０１８０】
そして、今、サーバ装置１３の情報格納部１３２は、図１６に示す提供情報管理表を保持している。図１６において、各レコードは、２以上の容器関連情報を有する。つまり、各レコードの２以上の容器関連情報がすべて受信された後、レコード中の「送信する情報」が端末装置２２に送信される。なお、レコード中に２以上の「送信する情報」が存在する場合の選択方法は、実施の形態１で説明した通りである。
（具体例１）
【０１８１】
図１７は、商品用容器１１である。そして、商品用容器１１は、２つの埋込情報部１１１を有する。埋込情報部１１１は、埋込情報部１１１（ａ）と埋込情報部１１１（ｂ）である。そして、埋込情報部１１１（ａ）は、現在、消費者から見える面に存在し、埋込情報部１１１（ｂ）は消費者から見える面に存在せず、消費者から見て反対側に存在する。つまり、商品用容器１１を置いた場合、埋込情報部１１１（ａ）と埋込情報部１１１（ｂ）とは、同時には見えない、とする。また、埋込情報部１１１は、ＱＲコードであり、埋込情報部１１１（ａ）には容器関連情報「お茶Ｂ・１」、埋込情報部１１１（ｂ）には容器関連情報「お茶Ｂ・２」が格納されている、とする。
【０１８２】
かかる状況において、ユーザＡは、図１７の商品用容器１１とその飲料（お茶Ｂ）を購入した、とする。
【０１８３】
そして、ユーザＡは、商品用容器１１を手に持った後、２つのＱＲコードが商品用容器１１の表面に印刷されていることに気がついた、とする。
【０１８４】
次に、まず、ユーザＡは、埋込情報部１１１（ｂ）に、端末装置２２を近づけ、埋込情報部１１１（ｂ）のＱＲコードを読み取った、とする。そして、端末装置２２の情報取得部１２１は、埋込情報部１１１に埋め込まれている容器関連情報「お茶Ｂ・２」を取得する。なお、ここでの容器関連情報は、"商品名"と"・"と"ＱＲコードのＩＤ"とを有する情報である。
【０１８５】
次に、情報取得部１２１は、取得した容器関連情報等の中に、画面情報が存在しない、と判断する。
【０１８６】
次に、位置情報取得部１２４は、位置情報（Ｘ９，Ｙ９）を取得する。次に、送信部１２７は、ユーザ情報格納部１２２からユーザ情報「ユーザＩＤ：０９０−３３３３−４４４４，性別：男性」を読み出す。
【０１８７】
そして、送信部１２７は、容器関連情報、位置情報、およびユーザ情報から送信情報「ユーザＩＤ：０９０−３３３３−４４４４，容器関連情報：お茶Ｂ・２，位置情報（Ｘ９，Ｙ９），性別：男性」を構成する。そして、送信部１２７は、送信情報「ユーザＩＤ：０９０−３３３３−４４４４，容器関連情報：お茶Ｂ・２，位置情報（Ｘ９，Ｙ９），性別：男性」をサーバ装置２３送信する。
【０１８８】
次に、サーバ側受信部２３４は、端末装置１２から容器関連情報を含む送信情報「ユーザＩＤ：０９０−３３３３−４４４４，容器関連情報：お茶Ｂ・２，位置情報（Ｘ９，Ｙ９），性別：男性」を受信する。
【０１８９】
次に、蓄積部１３５は、受信された送信情報を送信情報格納部１３１（ここでは、バッファ）に蓄積する。なお、送信情報格納部１３１は、揮発性の記録媒体（バッファ）と不揮発性の記録媒体の両方を含んでも良い。また、送信情報格納部１３１は、送信情報管理表（構造は、図９等を参照）を有する。
【０１９０】
次に、検索部１３６は、受信された送信情報「ユーザＩＤ：０９０−３３３３−４４４４，容器関連情報：お茶Ｂ・２，位置情報（Ｘ９，Ｙ９），性別：男性」から容器関連情報「お茶Ｂ・２」を取得する。
【０１９１】
検索部２３６は、バッファに一時格納されている容器関連情報を含む情報であり、受信した送信情報に含まれるユーザＩＤ「０９０−３３３３−４４４４」と容器関連情報「お茶Ｂ・２」のうちの「お茶Ｂ」（商品名）とを有する情報をすべて取得しようとする。しかし、ここでは、「０９０−３３３３−４４４４」と「お茶Ｂ」とを有する情報がバッファに存在しないので、情報は取得できない。
【０１９２】
次に、検索部２３６は、受信した送信情報に含まれる容器関連情報「お茶Ｂ・２」を用いて、サーバ側受信部２３４が受信した送信情報に対応する情報を、情報格納部１３２（図１６参照）から取得しようとする。しかし、ここでは、容器関連情報「お茶Ｂ・２」のみで検索できる「送信する情報」は存在しないので、検索部２３６は、送信情報に対応する情報を取得できない。
【０１９３】
次に、サーバ側送信部１３７は、情報が取得されなかった、と判断する。
【０１９４】
次に、ユーザＡは、埋込情報部１１１（ａ）に、端末装置２２を近づけ、埋込情報部１１１（ａ）のＱＲコードを読み取った、とする。そして、端末装置２２の情報取得部１２１は、埋込情報部１１１に埋め込まれている容器関連情報「お茶Ｂ・１」を取得する。
【０１９５】
次に、情報取得部１２１は、取得した容器関連情報等の中に、画面情報が存在しない、と判断する。
【０１９６】
次に、位置情報取得部１２４は、位置情報（Ｘ１０，Ｙ１０）を取得する。次に、送信部１２７は、ユーザ情報格納部１２２からユーザ情報「ユーザＩＤ：０９０−３３３３−４４４４，性別：男性」を読み出す。なお、位置情報（Ｘ９，Ｙ９）と（Ｘ１０，Ｙ１０）とは、通常、同じか大きな差はない。
【０１９７】
そして、送信部１２７は、容器関連情報、位置情報、およびユーザ情報から送信情報「ユーザＩＤ：０９０−３３３３−４４４４，容器関連情報：お茶Ｂ・１，位置情報（Ｘ１０，Ｙ１０），性別：男性」を構成する。そして、送信部１２７は、送信情報「ユーザＩＤ：０９０−３３３３−４４４４，容器関連情報：お茶Ｂ・２，位置情報（Ｘ１０，Ｙ１０），性別：男性」をサーバ装置２３送信する。
【０１９８】
次に、サーバ側受信部２３４は、端末装置１２から容器関連情報を含む送信情報「ユーザＩＤ：０９０−３３３３−４４４４，容器関連情報：お茶Ｂ・１，位置情報（Ｘ１０，Ｙ１０），性別：男性」を受信する。
【０１９９】
次に、蓄積部１３５は、受信された送信情報を送信情報格納部１３１（ここでは、バッファ）に蓄積する。なお、送信情報格納部１３１は、揮発性の記録媒体（バッファ）と不揮発性の記録媒体の両方を含んでも良い。
【０２００】
次に、検索部１３６は、受信された送信情報「ユーザＩＤ：０９０−３３３３−４４４４，容器関連情報：お茶Ｂ・１，位置情報（Ｘ９，Ｙ９），性別：男性」から容器関連情報「お茶Ｂ・２」を取得する。
【０２０１】
検索部２３６は、バッファに一時格納されている容器関連情報を含む情報であり、受信した送信情報に含まれるユーザＩＤ「０９０−３３３３−４４４４」と容器関連情報「お茶Ｂ・２」のうちの「お茶Ｂ」とを有する情報をすべて取得しようとする。そして、検索部２３６は、「ユーザＩＤ：０９０−３３３３−４４４４，容器関連情報：お茶Ｂ・２，位置情報（Ｘ９，Ｙ９），性別：男性」を取得する。
【０２０２】
次に、検索部２３６は、受信した送信情報に含まれる容器関連情報「お茶Ｂ・１」と取得した情報に含まれる容器関連情報「お茶Ｂ・２」とを用いて、サーバ側受信部２３４が受信した送信情報に対応する情報を、情報格納部１３２（図１６参照）から取得しようとする。そして、検索部２３６は、図１６の表から、容器関連情報「お茶Ｂ・２」と「お茶Ｂ・１」の両方を有するレコードを検索し、「ＩＤ＝２」のレコードを検索する。そして、検索部２３６は、当該レコードから、送信情報のうちの情報検索情報に利用される属性値「性別：男性」に対応する「送信する情報：情報Ａ．ｔｘｔ」を取得する。
【０２０３】
次に、サーバ側送信部１３７は、情報「情報Ａ．ｔｘｔ」が取得された、と判断する。そして、サーバ側送信部１３７は、検索部１３６が取得した情報「情報Ａ．ｔｘｔ」を端末装置２２に送信する。
【０２０４】
次に、受信部１２８は、送信部１２７における送信情報の送信に応じて、サーバ装置２３から情報「情報Ａ．ｔｘｔ」を受信する。そして、出力部１２９は、受信部１２８が受信した情報「情報Ａ．ｔｘｔ」を出力する。
【０２０５】
以上、本実施の形態によれば、商品用容器２１に２以上の埋込情報部２１１が存在し、２以上の埋込情報部２１１に格納されている容器関連情報等をサーバ装置２３に送信した場合のみ、端末装置２２はサーバ装置２３から情報を受信し、出力できる。かかることにより、商品が高い確率で消費者に渡った状況において、消費者に対して有効な情報を提供できる。
【０２０６】
また、本実施の形態によれば、消費者に高い確率で商品が購入された後、どのような消費者がどこで商品を購入または消費するかの情報を収集できる。
【０２０７】
なお、本実施の形態によれば、商品用容器２１が有するすべての埋込情報部２１１に格納されている容器関連情報等をサーバ装置２３に送信した場合のみ、端末装置２２はサーバ装置２３から情報を受信し、出力できた。しかし、商品用容器２１が３つの埋込情報部２１１を有し、そのうち２以上の埋込情報部２１１の容器関連情報等をサーバ装置２３に送信した場合、端末装置２２はサーバ装置２３から情報を受信し、出力できても良い。ただし、端末装置２２は２以上の容器関連情報等をサーバ装置２３に送信した場合のみ、端末装置２２はサーバ装置２３から情報を受信し、出力できるものとする。
（実施の形態３）
本実施の形態において、外部から隠蔽されていない領域に、商品用容器に関する情報（例えば、商品名やメーカーなど）が埋め込まれた埋込情報部（例えば、バーコードやICタグなど）を有する商品用容器について説明する。この埋込情報部の情報は、端末装置に読み込まれまたは送信され、情報が端末装置からサーバ装置に送信される。なお、外部から隠蔽されていない領域とは、通常、商品用容器の表面である。外部から隠蔽されていない領域は、販売時（商品棚に並んでいる状況において）に外部から見える領域であることが好適である。ただし、外部から隠蔽されていない領域は、例えば、商品用容器の底の表面でも良い。商品用容器の底の表面は、商品用容器を持ち上げると見える領域である。
本実施の形態における情報システム３の概念図は、図１と同様である。かかる概念図は、メーカーが商品を製造してから、運搬され、店舗に並べられる。そして、通常、消費者が商品を購入後、消費者は後述する所定の動作を行うことにより、情報を取得できる情報システム３の図である。なお、情報システム３の概念図では、消費者が商品を購入前に、消費者が所定の動作を行うことにより、情報を取得できるようにしても良い。
なお、実施の形態３において、実施の形態１と比較して異なるのは、商品用容器の埋込情報部が外部から隠蔽されていない領域に存在すること、および消費者が商品を購入する前に、所定の動作を行うことにより情報を取得しても良いことである。
情報システム３は、１以上の商品用容器３１、１以上の端末装置１２、およびサーバ装置１３を具備する。
また、情報システム３は、１以上の商品用容器３１、１以上の端末装置２２、およびサーバ装置２３を具備しても良い。
本実施の形態における情報システム３のブロック図は、例えば、図２の商品用容器および埋込情報部の符号が異なるだけである。商品用容器３１は、１または２以上の埋込情報部３１１を具備する。
商品用容器３１は、商品の容器である。商品とは、例えば、飲料、カップ麺、お菓子などの食品、化粧品、薬、洗剤などの日用品など、何でも良い。また、商品は、小袋が２以上入った一つの商品など、消費者に譲渡や貸与等されるものであれば何でも良い。また、商品用容器３１は、缶、ＰＥＴ、紙など、その材質は問わない。商品用容器３１は、外部から隠蔽されていない領域に、当該商品用容器に関する情報である容器関連情報が埋め込まれた埋込情報部３１１を有する商品の容器である。
商品用容器３１を構成する埋込情報部３１１は、商品用容器に関する情報である容器関連情報が埋め込まれている。容器関連情報とは、例えば、商品名、メーカー名、商品ＩＤ、メーカーＩＤなどである。埋込情報部３１１は、例えば、バーコード、ＩＣタグ、ＡＲコード、ＱＲコードなどである。埋込情報部３１１は、情報が埋め込まれるものであれば何でも良い。また、埋込情報部３１１は、埋め込まれている情報を能動的に送信する機能を有しても良いし、バーコードなどのように受動的に読み込まれるものでも良い。
また、商品用容器３１は、その表面の２以上の箇所に、容器関連情報が埋め込まれた２以上の埋込情報部３１１を有しても良い。２以上の埋込情報部３１１を有することにより、商品を手に持って回転させるなど、商品がユーザの自由になる場合のみ、２以上の埋込情報部３１１の２以上の容器関連情報が取得され得る。この２以上の容器関連情報は、商品の表面と裏面の両面に存在するなど、商品を手に持って、回転させるなどしなければ、すべての埋込情報部３１１から容器関連情報が取得できないことが好適である。つまり、商品用容器３１は、商品を置いた場合に、どの角度からも、すべての埋込情報部３１１が見えないように、２以上の埋込情報部３１１を有することが好適である。
なお、端末装置１２、サーバ装置１３、端末装置２２、およびサーバ装置２３の動作については、既に説明したので、説明を省略する。
【０２０８】
また、図１８は、本明細書で述べたプログラムを実行して、上述した実施の形態の端末装置やサーバ装置を実現するコンピュータの外観を示す。上述の実施の形態は、コンピュータハードウェア及びその上で実行されるコンピュータプログラムで実現され得る。図１８は、このコンピュータシステム３４０の概観図であり、図１９は、コンピュータシステム３４０の内部構成を示す図である。
【０２０９】
図１８において、コンピュータシステム３４０は、ＦＤドライブ３４１１、ＣＤ−ＲＯＭドライブ３４１２を含むコンピュータ３４１と、キーボード３４２と、マウス３４３と、モニタ３４４とを含む。
【０２１０】
図１９において、コンピュータ３４１は、ＦＤドライブ３４１１、ＣＤ−ＲＯＭドライブ３４１２に加えて、ＭＰＵ３４１３と、ＣＤ−ＲＯＭドライブ３４１２及びＦＤドライブ３４１１に接続されたバス３４１４と、ブートアッププログラム等のプログラムを記憶するためのＲＯＭ３４１５とに接続され、アプリケーションプログラムの命令を一時的に記憶するとともに一時記憶空間を提供するためのＲＡＭ３４１６と、アプリケーションプログラム、システムプログラム、及びデータを記憶するためのハードディスク３４１７とを含む。ここでは、図示しないが、コンピュータ３４１は、さらに、ＬＡＮへの接続を提供するネットワークカードを含んでも良い。
【０２１１】
コンピュータシステム３４０に、上述した実施の形態のサーバ装置等の機能を実行させるプログラムは、ＣＤ−ＲＯＭ３５０１、またはＦＤ３５０２に記憶されて、ＣＤ−ＲＯＭドライブ３４１２またはＦＤドライブ３４１１に挿入され、さらにハードディスク３４１７に転送されても良い。これに代えて、プログラムは、図示しないネットワークを介してコンピュータ３４１に送信され、ハードディスク３４１７に記憶されても良い。プログラムは実行の際にＲＡＭ３４１６にロードされる。プログラムは、ＣＤ−ＲＯＭ３５０１、ＦＤ３５０２またはネットワークから直接、ロードされても良い。
【０２１２】
プログラムは、コンピュータ３４１に、上述した実施の形態のサーバ装置等の機能を実行させるオペレーティングシステム（ＯＳ）、またはサードパーティープログラム等は、必ずしも含まなくても良い。プログラムは、制御された態様で適切な機能（モジュール）を呼び出し、所望の結果が得られるようにする命令の部分のみを含んでいれば良い。コンピュータシステム３４０がどのように動作するかは周知であり、詳細な説明は省略する。
【０２１３】
なお、上記プログラムにおいて、情報を送信するステップや、情報を受信するステップなどでは、ハードウェアによって行われる処理、例えば、モデムやインターフェースカードなどで行われる処理（ハードウェアでしか行われない処理）は含まれない。
【０２１４】
また、上記プログラムを実行するコンピュータは、単数であってもよく、複数であってもよい。すなわち、集中処理を行ってもよく、あるいは分散処理を行ってもよい。
【０２１５】
また、上記各実施の形態において、一の装置に存在する２以上の通信手段（端末情報送信部、端末情報受信部など）は、物理的に一の媒体で実現されても良いことは言うまでもない。
【０２１６】
また、上記各実施の形態において、各処理（各機能）は、単一の装置（システム）によって集中処理されることによって実現されてもよく、あるいは、複数の装置によって分散処理されることによって実現されてもよい。
本発明は、以上の実施の形態に限定されることなく、種々の変更が可能であり、それらも本発明の範囲内に包含されるものであることは言うまでもない。
【産業上の利用可能性】
【０２１７】
以上のように、本発明にかかる情報システムは、消費者に対して有効な情報を提供できるという効果を有し、情報システム等として有用である。
【符号の説明】
【０２１８】
１、２  情報システム
１１、２１、３１  商品用容器
１２、２２  端末装置
１３、２３  サーバ装置
１１１、２１１、３１１  埋込情報部
１２１  情報取得部
１２２  ユーザ情報格納部
１２３  画面情報格納部
１２４  位置情報取得部
１２５  画面出力部
１２６  受付部
１２７、２２７  送信部
１２８  受信部
１２９  出力部
１３１  送信情報格納部
１３２  情報格納部
１３３  送信先情報格納部
１３４、２３４  サーバ側受信部
１３５、２３５  蓄積部
１３６、２３６  検索部
１３７  サーバ側送信部
１３８  情報転送部
【図２】
2012108897.tif 000003
【図３】
2012108897.tif 000004
【図４】
2012108897.tif 000005
【図５】
2012108897.tif 000006
【図６】
2012108897.tif 000007
【図７】
2012108897.tif 000008
【図８】
2012108897.tif 000009
【図９】
2012108897.tif 000010
【図１０】
2012108897.tif 000011
【図１１】
2012108897.tif 000012
【図１２】
2012108897.tif 000013
【図１４】
2012108897.tif 000014
【図１５】
2012108897.tif 000015
【図１６】
2012108897.tif 000016
【図１７】
2012108897.tif 000017
【図１８】
2012108897.tif 000018
【図１９】
2012108897.tif 000019
【図１】
2012108897.tif 000020
【図１３】
2012108897.tif 000021